(57)【特許請求の範囲】
【請求項１】
底壁、及び筒状の第１側壁を有するケースと、回転可能な操作ツマミと、該操作ツマミと対向して配設すると共に、操作ツマミと共に回転され、底壁を有する回転体と、前記操作ツマミと前記回転体とを回転可能に支持する支軸と、前記ケースの底壁、或いは前記回転体の底壁の一方に設けられた摺動子と、前記ケースの底壁、或いは前記回転体の底壁の他方に設けられ、前記摺動子と摺接する導電パターンと、ゴム材から成るＯリングとを備え、前記操作ツマミ、或いは回転体には、所定の隙間を設けて前記ケースの前記第１側壁に対峙する筒状の第２側壁を設け、該第２側壁の外側に出っ張り筒状の前記第２側壁の周方向において互いに間隔を有する複数の突起を形成すると共に、前記回転体、或いは前記ケースには、前記隙間内に位置する受け部を設け、前記第１側壁と前記第２側壁と前記受け部との間に囲まれた前記隙間に、前記Ｏリングを設け、該Ｏリングを、前記複数の突起の位置する部分で強く弾接した状態で前記第１と第２側壁に弾接させたことを特徴とする回転型電気部品。
【請求項２】
前記複数の突起を、回転可能な前記回転体の回転軸線方向から見て正三角形の頂点に位置するように配設させたことを特徴とする請求項１記載の回転型電気部品。
【請求項３】
前記隙間の高さを、前記Ｏリングの高さに比して大きくし、高さ方向に前記Ｏリングの逃げを設けたことを特徴とする請求項１、又は２記載の回転型電気部品。
【請求項４】
前記Ｏリングの最外周と最内周とに平面部を設け、該平面部を、前記第１と第２側壁、又は前記第１と第２側壁と前記突起のそれぞれに弾接させたことを特徴とする請求項１、又は２、又は３記載の回転型電気部品。
【請求項５】
前記回転体に、前記第２側壁と前記受け部とを形成したことを特徴とする請求項１、又は２、又は３、又は４記載の回転型電気部品。
【請求項６】
前記第２側壁の外側に出っ張った前記複数の突起は、前記回転体の回転軸線方向において前記操作ツマミと対向して配設された側が前記操作ツマミに向かって延設されており、延設されたこれらの複数の突起がそれぞれ嵌入する複数の孔を前記操作ツマミに設けたことを特徴とする請求項５記載の回転型電気部品。
【発明の詳細な説明】
【０００１】
【発明の属する技術分野】
本発明はビデオカメラ等の使用して好適な回転型電気部品に関する。
【０００２】
【従来の技術】
従来において、Ｏリングを使用した可変抵抗器等の回転型電気部品は、図１４に示すように、軸受け８０を埋設した絶縁材の箱形のケース８１の内部に、抵抗体８２を取付、軸受け８０に挿通されて支承された回転軸８３には、抵抗体８２上を摺動する摺動子８４を取り付けた摺動子受け８５を取り付けている。
また、ケース８１の後方開口部８１ａは、蓋８６によって塞がれ、回転軸８３に設けられた溝８３ａに断面円形状のＯリング８７が圧入されて、Ｏリング８７を、溝８３ａ面と軸受け８０内面とに圧接させた構成を有している。
【０００３】
【発明が解決しようとする課題】
従来の回転型電気部品に使用されるＯリング８７は、ケース８１の内部を防水するために使用されたものであり、回転軸８３の回転トルクを重くする目的で、使用されたものではない。
しかし、このＯリング８７は、回転トルクを重くする役割もなすが、従来の回転軸８３の溝８３ａにＯリング８７を圧入するものは、回転軸８３の径が小さく、トルクを重くしようとすると、Ｏリング８７に大きなストレスがかかるので、トルクを重くするのと、寿命を長くすことの両立が難しかった。
また、Ｏリング８７の略全周を、溝８３ａと軸受け８０に圧接させており、僅かなＯリング８７等の寸法の変化、バラツキによって、トルクの変化、バラツキが生じるという問題があった。
また、Ｏリング８７の略全外周を圧接しているので、Ｏリング８７の変形を逃がす場所がなく、回転トルクは部品寸法の変化、バラツキの要因を受けて安定したトルクを出すのが難しかった。
また、Ｏリング８７は、断面円形状であるため、寸法変化、バラツキによって、Ｏリング８７の接触面積が変わるので、安定したトルクを出すことが難しかった。
【０００４】
【課題を解決するための手段】
上記課題を解決するための第１の解決手段として、底壁、及び筒状の第１側壁を有するケースと、回転可能な操作ツマミと、該操作ツマミと対向して配設すると共に、操作ツマミと共に回転され、底壁を有する回転体と、前記操作ツマミと前記回転体とを回転可能に支持する支軸と、前記ケースの底壁、或いは前記回転体の底壁の一方に設けられた摺動子と、前記ケースの底壁、或いは前記回転体の底壁の他方に設けられ、前記摺動子と摺接する導電パターンと、ゴム材から成るＯリングとを備え、前記操作ツマミ、或いは回転体には、所定の隙間を設けて前記ケースの前記第１側壁に対峙する筒状の第２側壁を設け、該第２側壁の外側に出っ張り筒状の前記第２側壁の周方向において互いに間隔を有する複数の突起を形成すると共に、前記回転体、或いは前記ケースには、前記隙間内に位置する受け部を設け、前記第１側壁と前記第２側壁と前記受け部との間に囲まれた前記隙間に、前記Ｏリングを設け、該Ｏリングを、前記複数の突起の位置する部分で強く弾接した状態で前記第１と第２側壁に弾接させた構成とした。
また、第２の解決手段として、前記複数の突起を、回転可能な前記回転体の回転軸線方向から見て正三角形の頂点に位置するように配設させた構成とした。
【０００５】
また、第３の解決手段として、前記隙間の高さを、前記Ｏリングの高さに比して大きくし、高さ方向に前記Ｏリングの逃げを設けた構成とした。
また、第４の解決手段として、前記Ｏリングの最外周と最内周とに平面部を設け、該平面部を、前記第１と第２側壁、又は前記第１と第２側壁と前記突起のそれぞれに弾接させた構成とした。
また、第５の解決手段として、前記回転体に、前記第２側壁と前記受け部とを形成した構成とした。
また、第６の解決手段として、前記第２側壁の外側に出っ張った前記複数の突起は、前記回転体の回転軸線方向において前記操作ツマミと対向して配設された側が前記操作ツマミに向かって延設されており、延設されたこれらの複数の突起がそれぞれ嵌入する複数の孔を前記操作ツマミに設けた構成とした。
【０００６】
【発明の実施の形態】
次に、本発明の回転型電気部品を図１から図１３に基づいて説明すると、図１は本発明の回転型電気部品の透視図、図２は本発明の回転型電気部品を押圧操作した状態を示す透視図、図３は図１のＡ−Ａ線における断面図、図４は図２のＢ−Ｂ線における断面図、図５は図１のＣ−Ｃ線における断面図、図６は本発明の回転型電気部品の平面図、図７は本発明の回転型電気部品の裏面図、図８は本発明の回転型電気部品に係り、操作ツマミと回転体を取り外した状態を示す平面図、図９は図１のＤ−Ｄ線における断面図、図１０は本発明の回転型電気部品に係り、弾性片の動作を説明するための断面図、図１１は本発明の回転型電気部品の分解斜視図、図１２は本発明の回転型電気部品に係るＯリングの平面図、図１３は図１２のＥ−Ｅ線における断面図である。
【０００７】
本発明の回転型電気部品は、図３に示すように、操作ツマミ１と、この操作ツマミ１を回転可能に保持するケース２と、これら操作ツマミ１及びケース２間に介設され、下面側に導電パターン３が一体形成された回転体４と、ケース２をスライド可能に保持する固定部材５と、これら操作ツマミ１と回転体４、ケース２及び固定部材５を貫通する支軸６と、略Ｕ字状に形成され、ケース２に復帰力を付与する戻しばね７と、ケース２と回転体４の隙間５０に嵌入され、操作ツマミ１の回転操作時に所望の回転トルクを付与するＯリング８とから主として構成されている。
【０００８】
前記操作ツマミ１の中央部には支軸６を挿通するための挿通孔９が設けられ、また、挿通孔９を中心とした正三角形の頂部に孔１ａが設けられており、図１に示すように、前記回転体４は、円形の底壁１０に立設された外側の筒状の側壁１１と、底壁１０の中央部に立設された内側の円筒体１２とから一体的に形成されている。
また、外側の側壁１１には、操作ツマミ１の嵌入孔１ａにそれぞれ嵌入すると共に、側壁１１の外側に一部が出っ張った３つの突起１３が設けられ、この３つの突起１３は、正三角形の頂部に位置するように配設されている。
また、回転体４には、底壁１０から延長して外方に突出したＯリング８を支承するための円形状の受け部１４が設けられると共に、内側の円筒体１２には、支軸６を挿通するための挿通孔１５が設けられている。
【０００９】
図８に示すように、前記ケース２には底壁１６ａと、筒状の側壁１６ｂと、この側壁１６ｂの真中を横切る連結部１７とが一体的に形成されている。この連結部１７の中央には支軸６を挿通するための挿通孔１８が設けられ、連結部１７からスライド方向の前方（図８の下方向）に向かって下向きの摺動子１９ａ〜１９ｄが突出し、連結部１７からスライド方向の後方（図８の上方向）に向かって上向きの摺動子２０ａ〜２０ｄが突出している。
このようなケース２は、導電性を有する一枚の金属板２２と樹脂２３とを一体成形した後、該金属板２２のくびれ部２２ａを切断することにより、中央寄りの摺動子１９ｄ，２０ｄから側部のＡ相用摺動子１９ａ、２０ａを切り離し、他の中央寄りの摺動子１９ｃ，２０ｃから側部のＢ相用摺動子１９ｂ，２０ｂを切り離して製造される。更に、側壁１６ｂのスライド方向の前方には、戻しばね７と当接する突起２４が設けられている。
【００１０】
また、図８に示すように、前記固定部材５には、ケース２のスライド方向に沿って形成された固定接点２５ａ、２５ｂ，２５ｃおよびスイッチパターン２５ｄと、これら固定接点２５ａ〜２５ｃおよびスイッチパターン２５ｄにそれぞれ電気的に接続される外部端子２６ａ〜２６ｄとが一体形成されている。なお、固定接点２５ｃはコモン用であり、他の固定接点２５ａ、２５ｂはそれぞれＡ相用、Ｂ相用である。
また、図３から図５に示すように、固定部材５の中央部には支軸６を挿通するための長孔５ａが設けられると共に、図７に示すように、下面側には支軸６の下端の鍔部６ａを受け入れる楕円状の凹部２７が設けられている。
この凹部２７の手前側（スライド方向の後部）には、図３、図４に示すように、端部に向かって上方に傾斜するテーパ面２７ａが形成されており、奥行き側（スライド方向の前方）は平面状に形成されている。
【００１１】
更に、図１に示すように、前記固定部材５の上面の両側部には、ケース２をスライド方向に案内する一対の壁部２８、２９が立設されている。一方の壁部２８の上部から張り出し部３０が内側に突出し、図１０に示すように、該張り出し部３０の下方にケース２の突部２ａを受け入れ可能な受け部３１と、戻しばね７の自由端７ａを案内する案内部３２とが形成され、これら受け部３１および案内部３２が仕切り壁３３により仕切られている。
前記受け部３１はスライド方向の後方の面、内側の側面および底面を開口した空間であり、前記案内部３２は内側の側面および底面を開口した空間である。
図１に示すように、他方の壁部２９の上部からも張り出し部３４が内側に突出し、該張り出し部３４の下方にケース２の突部２ｂを受け入れ可能な受け部３５と、戻しばね７の折り曲げ部７ｂを収納する収納部３６が設けられている。なお、前記張り出し部３０、３４および前記受け部３１、３５によって、前記ケース２の上下動を規制する規制手段が構成されている。
【００１２】
更に、前記固定部材５の案内部３２の近傍には、戻しばね７の自由端７ａの移動方向（図１の上下方向）に沿ってスリット３７、３８が互いに平行に設けられ、該スリット３７、３８間に薄板状の弾性片３９が形成されている。
この弾性片３９は片持ち梁形であり、スライド方向の前方に位置する壁部５ｂに向かって突出し、該弾性片３９の先端は前記壁部５ｂから所定間隔だけ離れている。また、この弾性片３９は、戻しばね７の自由端７ａと係脱する突部、例えば三角柱状のカム山４０を有し、該カム山４０は自由端７ａの軸方向に沿って弾性片３９上に一体的に形成されている。図９に示すように、前記戻しばね７の自由端７ａは張り出し部３０と弾性片３９とによって挟まれており、該戻しばね７の自由端７ａが図１０の（ａ）に示す状態から（ｃ）に示す状態まで移動する際に、張り出し部３０に沿って案内される。この時、図１０の（ｂ）に示すように、該戻しばね７の自由端７ａがカム山４０の頂部を乗り越える際にカム山４０を押圧するこにより、弾性片３９が厚み方向へ弾性変形してクリック感を生起させる。
【００１３】
図１に示すように、前記戻しばね７は自由端７ａの先端を案内部３２に挿入すると共に、折り曲げ部７ｂを収納部３６に挿入した状態で固定部材５に装着されており、ケース２の突起２４が戻しばね７に当接することにより、ケース２に対して復帰力を付与している。
また、前記Ｏリング８は、ゴム材から形成され、図１２、図１３に示すように、断面形状が多角形をなし、少なくとも最外周と最内周には、それぞれ平面部８ａ、８ｂが設けられた形状となっている。そして、このＯリング８は、図３〜図５に示すように、ケース２の側壁１６ｂの内周と、回転体４の側壁１１の外周と、回転体４の受け部１４および操作ツマミ１との間で形成される隙間５０に嵌入されて取り付けられている。
そして、Ｏリング８が隙間５０に取り付けられた際は、最外周の平面部８ａは、ケース２の側壁１６ｂに弾接し、また、最内周の平面部８ｂは、回転体４の側壁１１に緩く弾接すると共に、突起１３が位置する部分では、強く弾接した状態となっている。更に、隙間５０の高さＨ（操作ツマミ１と受け部１４間の距離）を、Ｏリング８の高さｈよりも大きくして、Ｏリング８が取り付けられた際のＯリング８の高さ方向の変形時の逃げを設けてあり、Ｏリング８の変形時においても、操作ツマミ１、及び受け部１４には弾接せず、非接触か、軽く接触する程度と成っている。また、Ｏリング８は、グリス（図示せず）が塗布された状態で、隙間５０に取り付けられていると共に、回転体４が回転した際、Ｏリング８はケース２の側壁１６ｂへの弾接接触面が大きいため、Ｏリング８は移動せず、回転体４の突起１３面がＯリング８面上を弾接しながら摺動し、また、グリスの作用によって、Ｏリング８の回転体４との摩擦によって生じるしわ状態を少なくし、滑らかな回転体４の移動が出来る。
【００１４】
この実施形態にあっては、上向きの摺動子２０ａ〜２０ｄと下向きの摺動子１９ａ〜１９ｄのうち、摺動子２０ａと摺動子１９ａ、摺動子２０ｂと摺動子１９ｂ，及び摺動子２０ｃ，２０ｄと摺動子１９ｃ，１９ｄとがそれぞれケース２の内部で電気的に接続されている。
また、上向きの摺動子２０ａ、２０ｂは導電パターン３の軌跡上に位置しており、残りの摺動子２０ｃ，２０ｄは回転体４の導電パターンと一体の金属板２２と常時接触している。
更に、下向きの摺動子１９ａ〜１９ｃはそれぞれ固定接点２５ａ〜２５ｃに常時接触しているが、残りの摺動子１９ｄはスイッチパターン２５ｄと接離可能に対向している。
【００１５】
この状態で、操作ツマミ１を正・逆いずれかの方向へ回転操作すると、操作ツマミ１に連動して回転体４も回転し、摺動子２０ａ、２０ｂがくし歯状の導電パターン３と周期的に接離するため、Ａ相用外部端子２６ａとコモン用外部端子２６ｃおよびＢ相用外部端子２６ｂとコモン用外部端子２６ｃからそれぞれ第１の電気信号が出力される。
その際、回転体４の回転時、Ｏリング８の弾性によって、重い回転トルクが作用し、操作ツマミ１が安定した回転トルクで操作でき、操作ツマミ１を停止すると、Ｏリング８によって、操作ツマミ１はその位置で保持された状態となる。
【００１６】
また、操作ツマミ１を図３に示す状態から右方向へ押圧操作すると、固定部材５に対して操作ツマミ１と回転体４、ケース２および支軸６が一体的に移動し、該支軸６の鍔部６ａが固定部材５の下面側の凹部２７内を摺動する。その際、下向きの摺動子１９ａ〜１９ｃは固定接点２５ａ〜２５ｃ上をそれぞれ摺動するため、摺動子２０ａとＡ相用外部端子２６ａとの電気的接続、摺動子２０ｂとＢ相用外部端子２６ｂとの電気的接続、および摺動子２０ｃ，２０ｄとコモン用外部端子２６ｃとの電気的接続はそれぞれ維持される。
そして、操作ツマミ１を図４に示す移動端部まで押圧操作すると、残りの下向き摺動子１９ｄがスイッチパターン２５ｄに接触し、コモン用外部端子２６ｃとスイッチ用外部端子２６ｄとが導通するため、該外部端子２６ｄから第２の電気信号が出力される。その際、戻しばね７の自由端７ａがケース２の突起２４により押圧されて弾性変形し、自由端７ａが固定部材５の案内部３２内を移動するため、図１０の（ａ）〜（ｃ）に示すように、戻しばね７の自由端７ａがカム山４０を乗り越えることによりクリック感が生起される。なお、図４に示す状態で操作ツマミ１を手放すと、戻しばね７の付勢力により操作ツマミ１、回転体４、ケース２及び支軸６が図３に示す当初の位置に押し戻される。
【００１７】
このように構成された実施形態にあっては、一つの操作ツマミ１を回転又は押圧操作することにより、それぞれ異なる電気信号が出力されるものである。
また、押圧操作時のクリック感を生起するクリック機構も、戻しばね７の自由端７ａを弾性片３９のカム山４０に係脱させるだけの単純構造であるため、回転操作時のクリック機構と相俟って小型で薄型の複合操作の回転型電機部品を提供できる。
また、押圧操作時に弾性片３９が厚み方向に弾性変形するため、戻しばね７の自由端７ａを押圧方向へ円滑に移動させることが出来ると共に、規制手段の規制によりケース２がスライド方向のみに移動するため、該ケース２のスライド動作を安定させることが出来、従って、押圧操作時の操作感触が良好となり、確実なクリック感を得ることが出来る。
【００１８】
また、固定部材５の凹部２７の一部（スライド方向の後方）に上方に傾斜するテーパ面２７ａを形成したため、戻しばね７のばね力を比較的小さい値に設定したとしても、操作ツマミ１の押圧操作を確実に行うことが出来る。即ち、操作ツマミ１の押圧状態を解除した際に、支軸６は戻しばね７のばね力のみによって図４から図３の状態に戻ろうとするが、支軸６の進行方向に上方に傾斜するテーパ面２７ａが形成されているため、支軸６の鍔部６ａの端部が凹部２７に引掛ることなく、戻り不良を防止することが出来る。一方、操作ツマミ１を図３から図４の状態に押圧操作する際は、支軸６は操作者の大きな力によって移動されるため、鍔部６ａが凹部２７に引掛ることなく、鍔部６ａは進行方向（スライド方向の前方）に位置する凹部２７の平坦面に沿って安定した状態で移動することが出来る。
【００１９】
なお、上記実施形態では、回転体４に側壁１１を設けたもので説明したが、この側壁１１に代えて、操作ツマミ１に側壁を設けて隙間５０を形成しても良く、また、隙間５０内に位置する受け部１４を、回転体４に設けたもので説明したが、ケース２に受け部を設けて、隙間５０内に位置させても良く、更に、ケース２に摺動子２０ａ〜２０ｄを設け、回転体４に導電パターン３を設けたもので説明したが、ケース２に導電パターンを、また、回転体４に摺動子を設けても良いこと勿論である。
【００２０】
【発明の効果】
本発明の回転型電気部品においては、ゴム材から成るＯリング８を、回転体４、或いは操作ツマミ１の側壁１１と、ケース２の側壁１６ｂとの間で形成される隙間５０に嵌入して、操作ツマミ１に所望の回転トルクを得るようにしたため、Ｏリング８の径を大きくでき、重いトルクが得られると共に、安定したトルク出しができ、しかも、回転時、回転体４の圧接による摩擦にて生じるしわ状態の少ない円滑で、感触の良好な回転操作を提供できる。
また、回転体４に側壁１１と受け部１４を設けることにより、回転体４をケース２に組み込んで隙間５０を形成し、その隙間５０にＯリング８を組み込みした後、操作ツマミ１の組立が出来て、その組立性が良好となり、生産性が良く、安価なものを提供できる。
また、Ｏリング８を押圧する複数の突起１３を設けることにより、Ｏリング８への接触面積を減らすことが出来、部品の寸法の変化、バラツキに伴う回転トルクの変化、バラツキを小さく抑えることが出来る。
【００２１】
また、複数の突起１３を、正三角形の頂点に位置するように配設したため、Ｏリング８への回転方向の接触面を小さくし、安定した感触の良好なトルクが得られると共に、Ｏリング８を安定して保持できる。
また、隙間５０の高さ方向にＯリング８の逃げを設けたため、Ｏリング８が径方向のみで圧接され、トルクが安定すると共に、トルクの大きさを制御し易いものを提供できる。
また、Ｏリング８の最外周と最内周とに平面部を設けたため、接触面を大きく出来て、重いトルクが得られると共に、接触面積が一定に出来、部品の寸法の変化、バラツキに伴う回転トルクの変化、バラツキを極めて小さく抑えることが出来る。
更に、回転体４の突起１３を、操作ツマミ１に係合させたため、操作ツマミ１と回転体４との組立が簡単で、小型となり、また、突起１３を、Ｏリング８の押圧と操作ツマミ１への取り付けとを兼用でき、部品点数が少なく、小型で安価なものを提供できる。
【図面の簡単な説明】
【図１】本発明の回転型電気部品の透視図。
【図２】本発明の回転型電気部品を押圧操作した状態を示す透視図。
【図３】図１のＡ−Ａ線における断面図。
【図４】図２のＢ−Ｂ線における断面図。
【図５】図１のＣ−Ｃ線における断面図。
【図６】本発明の回転型電気部品の平面図。
【図７】本発明の回転型電気部品の裏面図。
【図８】本発明の回転型電気部品に係り、操作ツマミと回転体を取り外した平面図。
【図９】図１のＤ−Ｄ線における断面図。
【図１０】本発明の回転型電気部品に係り、弾性片の動作を説明するための断面図。
【図１１】本発明の回転型電気部品の分解斜視図。
【図１２】本発明の回転型電気部品に係るＯリングの平面図。
【図１３】図１２のＥ−Ｅ線における断面図。
【図１４】従来の回転型電気部品の断面図。
【符号の説明】
１  操作ツマミ
１ａ  嵌入孔
９ａ  挿通孔
２  ケース
２ａ、２ｂ  突部
１６ａ  底壁
１６ｂ  側壁
１７  連結部
１８  挿通孔
２４  突起
３  導電パターン
４  回転体
１０  底壁
１１  側壁
１２  円筒体
１３  突起
１４  受け部
１５  挿通孔
５  固定部材
５ａ  長孔
５ｂ  壁部
２７  凹部
２７ａ  テーパ部
２８、２９  壁部
３０、３４  張り出し部
３１、３５  受け部
３２  案内部
３３  仕切り壁
３６  収納部
３７、３８  スリット
３９  弾性片
４０  カム山
６  支軸
６ａ  鍔部
７  戻しばね
７ａ  自由端
７ｂ  折り曲げ部
８  Ｏリング
８ａ、８ｂ  平面部
１９ａ  摺動子
１９ｂ  摺動子
１９ｃ  摺動子
１９ｄ  摺動子
２０ａ  摺動子
２０ｂ  摺動子
２０ｃ  摺動子
２０ｄ  摺動子
２５ａ  固定接点
２５ｂ  固定接点
２５ｃ  固定接点
２５ｄ  スイッチパターン
２６ａ  外部端子
２６ｂ  外部端子
２６ｃ  外部端子
２６ｄ  外部端子
５０  隙間
【図１】
0003764799.tif 000002
【図２】
0003764799.tif 000003
【図３】
0003764799.tif 000004
【図４】
0003764799.tif 000005
【図５】
0003764799.tif 000006
【図６】
0003764799.tif 000007
【図７】
0003764799.tif 000008
【図８】
0003764799.tif 000009
【図９】
0003764799.tif 000010
【図１０】
0003764799.tif 000011
【図１１】
0003764799.tif 000012
【図１２】
0003764799.tif 000013
【図１３】
0003764799.tif 000014
【図１４】
0003764799.tif 000015